(57)【特許請求の範囲】
【請求項１】
キャビネットの前面に配した外扉に、錠付きハンドル，該ハンドルにスイングカムを介して連係され、かつ、前記スイングカムとの連係箇所に遊びを有する上下動式のスライド板，およびスライド板に連係して外扉の上下箇所に分散配置したところの操作レバー，ロックレバー，前記操作レバーとロックレバーに張架した駆動ばねからなるラッチ装置を装備し、扉開放時のハンドル操作により前記スライド板を介して前記ラッチ装置を解錠して本体キャビネットの前面に設けたロックバーから釈放させ、外扉を閉じることにより前記ラッチ装置が本体キャビネットの前面に設けたロックバーに係止することによりスライド板が下降するようにした自動販売機の扉ロック装置において、  前記スイングカムとは別に、ハンドルとスライド板との間をインターロックしてハンドルの閉操作によりスライド板が下降位置に復帰している場合には当該スライド板を係止ロックし、スライド板が下降位置に復帰していない場合にはハンドルの閉操作を阻止する閂機構を設けたことを特徴とする自動販売機の扉ロック装置。
【請求項２】
請求項１記載の扉ロック装置において、閂機構は、ハンドルの操作に従動してスライド板に向け前進，後退する閂と、該閂に対向してスライド板の側面に開口した閂嵌入穴からなり、かつ閂嵌入穴をスライド板の下降位置でのみ閂の進入を許容する位置に開口したことを特徴とする自動販売機の扉ロック装置。
【発明の詳細な説明】
【技術分野】
【０００１】  本発明は、自動販売機のキャビネット前面に配した外扉の扉ロック装置に関する。
【背景技術】
【０００２】  まず、本発明の実施対象となる自動販売機の構成を図３に示す。図３において、１は庫内に商品収納庫などを搭載したキャビネット、２はキャビネット１の前面に配した片開き式の外扉、２ａは外扉２の前面に画成したディスプレイ室、２ｂは商品取出口であり、外扉２はその吊り側（図面の左端側）が蝶番（図示せず）を介してキャビネット１の開口端部にヒンジ結合され、吊り側と反対側（図面の右端側）には扉ロック装置として錠付きのハンドル３を装備しており、外扉２を開け，閉めする際に前記ハンドル３を施錠，解錠および開閉操作して扉のロック，ロック解除を行うようにしていることは周知の通りである。  ここで、従来の自動販売機に採用されている一般的な扉ロック装置は、外扉に前記ハンドルに連係してその開閉操作により上下動するスライド板（掛け金）を敷設するとともに、このスライド板に対向してキャビネットの開口部前縁にフック形のロック板を設けた構成になり、外扉を閉じる際にはハンドル操作により前記スライド板をロック板に掛止して外扉を閉位置に鎖錠するようにし、また外扉の開放時にはキーを使ってハンドルを解錠した上で、ハンドル操作によりスライド板とロック板との係合を外して外扉を開くようにしている（例えば、特許文献１参照）。【０００３】  一方、最近になり、前記扉ロック装置のロック機能，信頼性を高めるために、扉キャッチなどに適用する錠前の一種として「スナッチロック（登録商標）」と称するラッチ装置（例えば、特許文献２参照）を外扉の裏側に設置して前記のスライド板と連係させ、外扉を閉じた際にラッチ装置をキャビネット側に設けたロックバーに掛止して外扉を閉位置に鎖錠するようにした方式の扉ロック装置が開発され、一部の自動販売機で採用，実施されている。  このラッチ装置を採用した扉ロック装置は、従来の扉ロック装置（特許文献１参照）のようにスライド板が外扉の背面に突き出ないので、不正な行為で外扉とキャビネットとの間の隙間に工具を差し入れてスライド板を持ち上げることができないので防盗性が向上する。  次に前記ラッチ装置を採用した扉ロック装置の従来構造を図４〜図７で説明する。先ず、図４は外扉２に装備した扉ロック装置の組立構造を示す平面図であり、４はハンドル３の軸後端に連結したスイングカム、５はスイングカム４に連係して外扉２の側部に敷設した上下動式のスライド板、６は外扉の側部背面に設置してスライド板５に連係したラッチ装置、７はスライド板５とラッチ装置６との間を連結する段付きネジである。なお図示してないが、前記ラッチ装置６に対向してキャビネット１（図３参照）の開口部前縁にはＵ字形のロックバーを設け、後記のように外扉２を閉じた状態でラッチ装置６をロックバーに掛止して外扉２を閉位置に鎖錠するようにしている。【０００４】  また、図５（ａ），（ｂ）は前記ハンドル３の開閉操作とこれに従動して上下移動するスライド板５との関係を表す図で、ハンドル３に連結したスイングカム４に対向してスライド板５の側面には角穴が開口しており、図５（ａ）のようにハンドル３の閉位置ではスライド板５が自重で下降している。この状態からハンドル３のシリンダ錠３ａを解錠した上で、ハンドル５を図５（ｂ）の開位置に回すと、これに従動してスイングカム４がスライド板５を上方に押し上げる。  また、前記のラッチ装置６は、図６の組立図で示すように外扉２の上下箇所に分散配置してビス８により外扉２に固定しており、この位置でスライド板５の側縁に形成した切欠きに嵌挿（遊嵌）した段付きネジ７を介して後記のようにラッチ装置６とスライド板５とを連係し、スライド板５の上下動に応動してラッチ装置６を解錠，施錠するようにしている。なお、図６はスライド板５が下降して各ラッチ装置６が施錠されているハンドル閉（図５（ａ）参照）の状態を表している。【０００５】  次に、ラッチ装置６の構造，動作原理を図７（ａ），（ｂ）で説明する。すなわち、ラッチ装置６は箱形の基板６ａに図示形状の操作レバー６ｂ，ロックレバー６ｃ、操作レバー６ｂとロックレバー６ｃの脚部間に張架した駆動ばね（引っ張りばね）６ｄ、およびカバー（図示せず）を組み付けた構成になり、基板６ａおよびカバーの前縁中央にはキャビネット１（図３参照）の開口部前縁に設けたＵ字形のロックバー９が入り込む凹溝６ａ−１が形成されている。なお、６ｂ−１は操作レバー６ｂの支軸、６ｃ−１はロックレバー６ｃの支軸であり、操作レバー６ｂの脚部先端には連結穴を穿孔し、ここに先記の段付きネジ７を嵌着してスライド板５と連係させている。  上記の構成で、図７（ａ）の施錠状態ではロックレバー６ｃの先端爪部６ｃ−２が前記の凹溝６ａ−１に突き出し、この位置で駆動ばね６ｄのばね力を受けた操作レバー６ｂのカム部がロックレバー６ｃのカム部に噛み合い係合して該レバーを鎖錠位置に拘束し、前方から凹溝６ａ−１の中に嵌入したロックバー９を掛止している。【０００６】  この施錠状態から先記のハンドル３に手を掛けて図５（ａ）の閉位置から（ｂ）の開位置に回動操作すると、これに従動してスライド板５が上昇移動するとともに、スライド板５の切欠きに遊嵌された段付きねじ７を介してラッチ装置６の操作レバー６ｂが支軸６ｂ−１を支点に図７（ｂ）の位置に傾動する。同時に駆動ばね６ｄを介してロックレバー６ｃが支軸６ｃ−１の回りに反時計方向に回動し、その先端爪部６ｃ−２が基板６ａの凹溝６ａ−１から側方に後退してロックバー９との掛止が釈放される。  また、ラッチ装置６の解錠状態（図７（ｂ））でラッチ装置６をロックバー９に押し込むと、ロックバー９が前記凹溝６ａ−１の中に進入するとともに、ロックバー９がラッチ装置６のロックレバー６ｃを押し込む。これにより、ロックレバー６ｃが支軸６ｃ−１を支点に時計方向に傾動して図７（ａ）の施錠状態に戻る。また、この施錠動作に伴い操作レバー６ｂに段付きねじ７を介して連係したスライド板５（図６）が下降する。【０００７】  上記したラッチ装置６の施錠，解錠動作から判るように、外扉２の開放時にはハンドル３を開位置に回して手前に引くことで、ラッチ装置６を解錠して外扉２を開くことができる。また、外扉２を閉じる際にはハンドル３を一旦図５（ｂ）の開位置に回してスライド板５を上昇（図５（ｂ）参照）させ、ラッチ装置６を解錠した上で外扉２を閉位置に押し込む。これにより、ロックバー９がラッチ装置６の凹溝６ａ−１に進入し、ラッチ装置６が図７（ａ）の施錠状態に戻ってロックバー９がラッチ装置６に掛止される。続いてハンドル３を図５（ａ）の閉位置に戻すとスライド板５も自重で下降、最後にハンドル３のシリンダ錠３ａからキーを抜いて施錠すれば、外扉２が部外者によって開けないよう閉位置にロックされることになる。【特許文献１】特開２０００−１２３２３６号公報
【特許文献２】特開平８−２８２２７７号公報
【発明の開示】
【発明が解決しようとする課題】
【０００８】  ところで、前記した従来構造の扉ロック装置では動作の信頼性で次記のような問題点がある。すなわち、図６の組立構造で、段付きねじ７を介して連係させたスライド板５とラッチ装置６との間にガタ，組立誤差があると、外扉２を閉じた際に外扉の上下箇所に分散配置したラッチ装置６の施錠が不完全になって外扉２が半ドアの状態になることがある。図８はこの半ドア発生状況を表しており、図示の下側に配したラッチ装置６は施錠状態（図７（ａ）参照）に戻ってロックバー９に掛止されているが、上側に配したラッチ装置６は施錠されずに解錠状態（図７（ｂ）参照）のままであり、これに連係したスライド板５も下降せずに上昇位置に止まっている。  一方、外扉２の前面に配したハンドル３（図５参照）は、先記のようにハンドルの開操作によりスイングカム４を介してスライド板５を押し上げるが、ハンドル３を閉位置に戻す場合にはスイングカム４とスライド板５に開口した角穴との間に遊びがあるため、ハンドル３でスライド板５を押し下げる機能はなく、スライド板５が上昇位置に止まっていてもハンドル３は自由に閉位置へ戻すことが可能である。【０００９】  このために、従来構造では外扉２を閉じる際に前記のような半ドアの状態が生じた場合でも、作業者は半ドアの状態を気づかずにハンドル３を閉位置に戻してシリンダ錠３ａのキーを抜き取ることが可能であることから、このままではロケーション先に設置した自動販売機が半ドアのまま放置されるおそれがある。しかも、自動販売機の外扉が半ドアのまま放置されていると、不正な行為で外部から外扉を比較的簡単にこじ開けることができて本来の防盗機能を確保できなくなる。  本発明は上記の点に鑑みなされたものであり、外扉のハンドルとスライド板との間に簡易なインターロック機構を追加装備することより、前記した半ドアの発生をチエックする機能と併せて、防盗性の強化が図れるように改良した自動販売機の扉ロック装置を提供することを目的とする。
【課題を解決するための手段】
【００１０】  上記目的を達成するために、本発明によれば、キャビネットの前面に配した外扉に、錠付きハンドル，該ハンドルにスイングカムを介して連係され、かつ、前記スイングカムとの連係箇所に遊びを有する上下動式のスライド板，およびスライド板に連係して外扉の上下箇所に分散配置したところの操作レバー，ロックレバー，前記操作レバーとロックレバーに張架した駆動ばねからなるラッチ装置を装備し、扉開放時のハンドル操作により前記スライド板を介して前記ラッチ装置を解錠して本体キャビネットの前面に設けたロックバーから釈放させ、外扉を閉じることにより前記ラッチ装置が本体キャビネットの前面に設けたロックバーに係止することによりスライド板が下降するようにした自動販売機の扉ロック装置において、前記スイングカムとは別に、ハンドルとスライド板との間をインターロックしてハンドルの閉操作によりスライド板が下降位置に復帰している場合には当該スライド板を係止ロックし、スライド板が下降位置に復帰していない場合にはハンドルの閉操作を阻止する閂機構を設け（請求項１）、その具体的な態様として、前記閂機構を、ハンドル操作に従動してスライド板に向け前進，後退する閂と、該閂に対向してスライド板の側面に開口した閂嵌入穴から構成し、かつ閂嵌入穴をスライド板の下降位置でのみ閂の進入を許容する位置に開口するものとする（請求項２）。
【発明の効果】
【００１１】  上記構成の扉ロック装置によれば、外扉を閉じた際に半ドアが生じた場合には、この半ドア状態を続くハンドルの閉操作によりチエック確認して自動販売機の外扉が半ドアのまま放置されるのを未然に防止できるほか、外扉を閉位置にロックした定常状態での防盗性を高めることができる。  すなわち、外扉を閉じた際に半ドアの発生を気づかずにハンドルを開位置から閉位置に戻そうとすると、スライド板が上昇位置に止まったまま下降しないために、閂がスライド板の側面に突き当たってハンドルは閉位置に戻して施錠できなくなる。したがって、外扉が半ドアの状態であることが判り、その原因となる個所を修復することで改めて外扉を閉位置に正しくロックすることができ、これによって自動販売機は半ドアのまま放置されるのを未然に回避して信頼性が向上する。【００１２】  また、外扉が閉位置に適正にロックされた状態では、ハンドルに連結した閂がスライド板の閂嵌入穴に嵌入してスライド板を下降位置に拘束する。したがって、正規のハンドル操作によらない不正な行為で外部からスライド板を持ち上げて扉のロックを解除しようとしてもスライド板を持ち上げることができず、自動販売機の防盗性がさらに向上する。
【発明を実施するための最良の形態】
【００１３】  以下、本発明の実施の具体的な形態を図１，図２に示す実施例に基づいて説明する。なお、図１は外扉の背後側から見た扉ロック装置の動作説明図で、（ａ）は外扉を閉位置にロックしてハンドルを閉位置に戻した状態、（ｂ）は半ドアが生じた状態での扉ロック装置の動作を表す図、図２は扉ロック装置の組立構造の平面図であり、各図において図４に対応する部材には同じ符号を付してその説明は省略する。  すなわち、図示の実施例においては、図４に示した従来構造と比べて、外扉２に配したハンドル３とスライド板５との間をインターロックしてハンドル３の閉操作によりスライド板５を下降位置に係止ロックする閂機構が新たに追加装備されており、その閂機構はハンドル３の開閉操作に連動してスライド板５に向け前進，後退する閂１０と、該閂１０の先端に対向してスライド板５の側面に開口した閂嵌入穴（角穴）５ｂとからなり、かつ閂嵌入穴５ｂはスライド板５の下降位置でのみ閂１０の進入を許容するような位置に開口している。なお、５ａはハンドル３に連結したスイングカム４が嵌入する角穴である。【００１４】  ここで、前記の閂１０は、ハンドル３の後部ケース３ｂ（外扉２の裏面側に設置）の上面にガイドレール３ｃを介して左右方向にスライド可能に案内支持されており、さらに閂１０の途中から後方に分岐した脚片１０ａをスイングカム４の上縁に起立形成した枠状の係合アーム４ａに嵌入してハンドル３と連係するようにしている。  上記の構成で、外扉２を閉じた際に、図６で述べたように上下のラッチ装置６がキャビネット側のロックバー９（図７（ａ）参照）と掛止した状態で施錠され、かつスライド板５も下降している状態では、ハンドル３を閉位置（図５（ａ）参照）に戻すと、図１（ａ）のようにスイングカム４が下方に傾動し、これに従動して閂１０がスライド板の閂嵌入穴５ｂに進入してスライド板５をこの位置に掛止拘束する。したがって、この扉ロック状態では、外扉２がラッチ装置６および閂１０により二重に鎖錠されることになって高い防盗性を確保できる。なお、外扉２を開くためにハンドル３を開位置（図５（ｂ）参照）に回すと、これに従動して閂１０がスライド板１０の角穴から抜け出てスライド板５の掛止拘束を解除する。【００１５】  一方、外扉２を閉じた際に、図８で述べたような半ドアの状態が不測に発生すると、スライド板５は上昇位置に止まったまま下降しない。したがって、外扉の半ドア状態を気付かずにハンドル３を開位置から閉位置に回そうとしても、図１（ｂ）で示すように閂１０の先端がスライド板５の側面に突き当たって閂嵌入穴５ｂに進入できず、閂１０が心張り棒として働いてハンドル３を閉位置に戻すことができなくなる。したがって、メンテナンス作業者は扉ロック装置に異常（半ドア）が発生したことに気付き、その発生原因となる箇所を修復することで、外扉２を正常に閉位置でロックすることができる。
【図面の簡単な説明】
【００１６】
【図１】本発明の実施例に係る扉ロック装置を外扉の背後から見た要部構成の俯瞰図で、（ａ）は外扉を閉位置にロックしてハンドルを閉位置に戻した状態、（ｂ）は半ドアが生じた状態でハンドルを閉位置に戻そうとした時の状態を表す図
【図２】本発明の実施例に係る扉ロック装置の組立構造を表す平面図
【図３】本発明の実施対象となる自動販売機の正面図
【図４】自動販売機の外扉に装備した扉ロック装置の従来構造を示す平面図
【図５】外扉に配したハンドルとスライド板との連係動作の説明図で、（ａ），（ｂ）はそれぞれハンドルの閉位置，開位置に対応する動作状態を表す図
【図６】図４の扉ロック装置におけるラッチ装置の配置とスライド板との間の連係構造を表す側面図
【図７】図４におけるラッチ装置の構造，動作原理の説明図で、（ａ），（ｂ）はそれぞれラッチ装置の施錠，解錠に対応した動作状態を表す図
【図８】図６の扉ロック装置で外扉を閉じた際に一方のラッチ装置が施錠されてない半ドアの状態を表す図
【符号の説明】
【００１７】  １    キャビネット  ２    外扉  ３    ハンドル  ４    スイングカム  ５    スライド板  ５ｂ  閂嵌合穴  ６    ラッチ装置  ９    ロックバー１０    閂
【図１】
0004524654.tif 000002
【図２】
0004524654.tif 000003
【図３】
0004524654.tif 000004
【図４】
0004524654.tif 000005
【図５】
0004524654.tif 000006
【図６】
0004524654.tif 000007
【図７】
0004524654.tif 000008
【図８】
0004524654.tif 000009